(57)【要約】【課題】  印字品質を向上させると共に発光素子の劣化を抑える。【解決手段】  複数の発光素子を備えた発光装置において、上層回路から入力された画像データ１６２からエッジとなるエッジ画素を検出するエッジ検出部１５２と、光量と発光時間の積を一定とし、エッジ画素を出力する発光素子に対しては、強い光量かつ短い発光時間で駆動し、それ以外の画素を出力する発光素子に対しては、弱い光量かつ長い発光時間で駆動する、駆動制御部１５４と、を有する発光装置。【選択図】      図２
2007050597.tif 000002
【特許請求の範囲】
【請求項１】
複数の発光素子を備えた発光装置において、
上層回路から入力された画像データから輪郭を構成するエッジ画素を検出するエッジ検出部と、
前記エッジ画素を出力する前記発光素子に対して設定される光量値と発光時間を、前記エッジ画素以外の画素を出力する前記発光素子に対して設定される光量値よりも強い光量値、かつ、前記エッジ画素以外の画素を出力する前記発光素子に対して設定される発光時間よりも短い発光時間で駆動する駆動制御部と、を有する、
ことを特徴とする発光装置。
【請求項２】
請求項１に記載の発光装置において、前記光量値と前記発光時間の積は一定である、ことを特徴とする発光装置。
【請求項３】
請求項１または２に記載の発光装置において、前記エッジ検出部は、前記画像データが複数の色から構成されている場合、各々の色毎に前記エッジ画素を検出する、ことを特徴とする発光装置。
【請求項４】
請求項１から３のいずれか一項に記載の発光装置において、前記複数の発光素子が有機発光ダイオード素子である、ことを特徴とする発光装置。
【請求項５】
請求項１から４のいずれか一項に記載の発光装置において、前記複数の発光素子が１ライン状に配列されている、ことを特徴とする発光装置。
【請求項６】
請求項１から４のいずれか一項に記載の発光装置において、前記複数の発光素子が２次元で配列されている、ことを特徴とする発光装置。
【請求項７】
感光体と、
前記感光体を一様に帯電させる帯電手段と、
請求項５に記載の発光装置を備え、前記感光体を露光することにより形成対象画像の静電潜像を前記感光体上に形成する露光手段と、
前記感光体上の静電潜像をトナー像として現像する現像手段と、
前記感光体上のトナー像を転写材に転写させる転写手段と、
前記転写材上のトナー像を定着させる定着手段と、
を具備する、ことを特徴とする画像形成装置。
【請求項８】
請求項６に記載の発光装置を備え、前記発光装置の各発光素子を画素として発光させて画像を表示する、ことを特徴とする表示装置。
【発明の詳細な説明】
【技術分野】
【０００１】
本発明は、発光装置、この発光装置を使った画像形成装置、および表示装置に関する。
【背景技術】
【０００２】
１ラインに多数の発光素子を設けたラインヘッドを露光手段として用いる複写機等の画像形成装置が開発されている。このような装置では、発光素子の特性劣化による輝度変化やヘッド全面にわたる点灯劣化に起因する輝度ばらつきの発生を抑える技術が提案されている。
【０００３】
この問題を解決するために、例えば特許文献１には、光量ばらつきを測定して光量を均一にするために、発光素子毎に駆動信号の電圧値または電流値もしくは発光時間を調整している。
【０００４】
【特許文献１】特開昭５９−１９４５６６号公報
【発明の開示】
【発明が解決しようとする課題】
【０００５】
しかしながら、特許文献１の技術では、光量を均一に調整しているので、例えば送られてくる画像データに輪郭のある画像の場合、全ての発光素子を高い光量かつ短い発光時間で駆動すると全ての発光素子の劣化が進んでしまい、また全ての発光素子を低い光量かつ長い発光時間で駆動すると輪郭部分の印字品質が悪くなるという問題があった。
【０００６】
本発明は、上記の事情に鑑みてなされたものであり、印字パターンに最適な電流値と発光時間を設定することにより、印字品質を向上させると共に発光素子の劣化を抑えることができる発光装置、この発光装置を使った画像形成装置、および表示装置を提供することを目的とする。
【課題を解決するための手段】
【０００７】
上記課題を解決するために、本発明の発光装置では、複数の発光素子を備えた発光装置において、上層回路から入力された画像データから輪郭を構成するエッジ画素を検出するエッジ検出部と、前記エッジ画素を出力する前記発光素子に対して設定される光量値と発光時間を、前記エッジ画素以外の画素を出力する前記発光素子に対して設定される光量値よりも強い光量値、かつ、前記エッジ画素以外の画素を出力する前記発光素子に対して設定される発光時間よりも短い発光時間で駆動する駆動制御部と、を有する、ことを要旨とする。
【０００８】
この構成によれば、入力された画像データのエッジ上の画素を出力する発光素子を強い光量かつ短い発光時間で駆動することにより、画像の輪郭を鮮明にすることができ、エッジ以外の画素を出力する発光素子を弱い光量かつ長い発光時間で駆動することにより、印字品質を向上させると共に発光素子の劣化を抑えることができる。
【０００９】
また、本発明の発光装置では、前記光量値と前記発光時間の積は一定である。
【００１０】
この構成によれば、エッジ上の画素とエッジ以外の画素の印字濃度が一定に保たれ、印字品質を向上させると共に発光素子の劣化を抑えることができる。
【００１１】
また、本発明の発光装置では、前記エッジ検出部は、前記画像データが複数の色から構成されている場合、各々の色毎に前記エッジ画素を検出する。
【００１２】
この構成によれば、複数の色で構成される画像データに対しても、色毎にエッジを検出するので、印字品質を向上させると共に発光素子の劣化を抑えることができる。
【００１３】
また、本発明の発光装置では、前記複数の発光素子が有機発光ダイオード素子である。
【００１４】
この構成によれば、複数の有機発光ダイオード素子の印字品質を向上させると共に発光素子の劣化を抑えることができる。
【００１５】
また、本発明の発光装置では、前記複数の発光素子が１ライン状に配列されている。
【００１６】
この構成によれば、複数の発光素子を１ライン状に配列した発光装置、つまりラインヘッドについて、各発光素子の印字品質を向上させると共に発光素子の劣化を抑えることができる。
【００１７】
また、本発明の発光装置では、前記複数の発光素子が２次元で配列されている。
【００１８】
この構成によれば、複数の発光素子を２次元配列した発光装置、つまり表示パネルについて、各発光素子の印字品質を向上させると共に発光素子の劣化を抑えることができる。
【００１９】
また、本発明の画像形成装置では、感光体と、前記感光体を一様に帯電させる帯電手段と、本発明の発光装置を備え、前記感光体を露光することにより形成対象画像の静電潜像を前記感光体上に形成する露光手段と、前記感光体上の静電潜像をトナー像として現像する現像手段と、前記感光体上のトナー像を転写材に転写させる転写手段と、前記転写材上のトナー像を定着させる定着手段と、を具備する。
【００２０】
この構成によれば、入力された画像データのエッジ上の画素を出力する発光素子を強い光量かつ短い発光時間で駆動することにより、画像の輪郭を鮮明にすることができ、エッジ以外の画素を出力する発光素子を弱い光量かつ長い発光時間で駆動することにより、印字品質を向上させると共に発光素子の劣化を抑えることができる。
【００２１】
また、本発明の表示装置では、上記発光装置を備え、前記発光装置の各発光素子を画素として発光させて画像を表示する。
【００２２】
この構成によれば、各発光素子の発光品質を向上させると共に発光素子の劣化を抑えることができる。この結果、表示する画像の品質を向上させることができる。
【発明を実施するための最良の形態】
【００２３】
以下、本発明を具体化した実施形態について図面に従って説明する。
（第１実施形態）
【００２４】
＜発光装置の構成＞
図１は、本発明の一実施形態に係る発光装置をプリンタラインヘッドとして使用する場合の概略構成図である。図１に示すように、発光装置１は、素子基板１００とプリント回路基板であるＰＣＢ（Print Circuit Board）１４０とが、フレキシブルプリント配線板であるＦＰＣ（Flexible Printed Circuit）１３０で接続されている。素子基板１００上には、複数の発光素子１１０が配置され、ＦＰＣ１３０上には、発光素子を駆動するドライバＩＣ１２０が配置され、ＰＣＢ１４０上には、画像データを解析しドライバＩＣ１２０に発光素子の駆動信号を生成する制御回路１５０が配置されている。制御回路１５０には、上層回路であるプリンタのコントローラ１６０から画像データが送られてくる。
【００２５】
次に、図２を参照して、制御回路１５０の構成を説明する。図２は、制御回路１５０の構成を示す構成図である。図２に示すように、制御回路１５０は、エッジ検出部１５２と、駆動制御部１５４から構成されている。エッジ検出部１５２は、画像データ１６２を入力し、画像データ１６２から輪郭を構成するエッジ画素を抽出し、エッジ検出データ１６４に記録する。駆動制御部１５４は、エッジ検出データ１６４を参照し、各発光素子１１０毎に光量と発光時間を設定する。
【００２６】
次に、図３を参照して、画像データのエッジ画素の検出方法を説明する。図３は、画像データのエッジ画素の検出方法を説明する図である。図３（Ａ）は、黒く塗りつぶされた多角形ａが描かれた画像データ１６２の一例である。多角形ａの輪郭を構成する画素がエッジ画素である。
【００２７】
＜エッジ検出部の処理＞
次に、図４を参照して、エッジ検出部１５２の処理について説明する。図４は、エッジ検出部１５２の処理を説明するフローチャートである。画像データ１６２は、ｉｍａｘ列ｊｍａｘ行の画素Ｐ（ｉ，ｊ）で構成され、エッジ検出データ１６４は、ｉｍａｘ列ｊｍａｘ行の画素Ｅ（ｉ，ｊ）で構成されている。
【００２８】
先ず、ステップＳ１００では、エッジ検出を開始する画像データ１６２の初期位置として、ｉ＝０、ｊ＝０を設定し、ステップＳ１０２に移行する。
【００２９】
次に、ステップＳ１０２では、画素Ｐ（ｉ，ｊ）を選択し、ステップＳ１０４に移行する。
【００３０】
次に、ステップＳ１０４では、画素Ｐ（ｉ，ｊ）がエッジ画素であるか否かを判定し、エッジ画素である場合は、ステップＳ１０６に移行し、画像データの内部の画素である場合は、ステップＳ１０８に移行し、画像データの外部の画素である場合は、ステップＳ１１０に移行する。
【００３１】
次に、ステップＳ１０６では、画素Ｅ（ｉ，ｊ）＝Ｔｒｕｅを設定し、ステップＳ１１２に移行する。
【００３２】
一方、ステップＳ１０８では、画素Ｅ（ｉ，ｊ）＝Ｆａｌｓｅを設定し、ステップＳ１１２に移行する。
【００３３】
さらに、ステップＳ１１０では、画素Ｅ（ｉ，ｊ）＝Ｎｕｌｌを設定し、ステップＳ１１２に移行する。
【００３４】
次に、ステップＳ１１２では、ｉ＝ｉｍａｘであるか否かを判定し、ｉ＝ｉｍａｘである場合は、ステップＳ１１６に移行し、ｉ＜ｉｍａｘである場合は、ステップＳ１１４に移行する。
【００３５】
次に、ステップＳ１１６では、ｊ＝ｊｍａｘであるか否かを判定し、ｊ＝ｊｍａｘである場合は、処理を終了し、ｊ＜ｊｍａｘである場合は、ステップＳ１１８に移行する。
【００３６】
一方、ステップＳ１１４では、ｉ＝ｉ＋１に設定し、ステップＳ１０２に移行する。
【００３７】
一方、ステップＳ１１８では、ｉ＝０及びｊ＝ｊ＋１に設定し、ステップＳ１０２に移行する。
【００３８】
ここで、再び図３を参照して、エッジ検出部１５２のエッジ画素の判定方法を説明する。図３（Ａ）の点線ｂで囲まれた領域を拡大したのが、図３（Ｂ）であり、画素Ｐ（０，０）からＰ（９，９）で構成されているものとして説明する。画素Ｐ（９，０）とＰ（０，９）を結ぶ直線上の画素がエッジ画素となり、各々Ｅ（ｉ，ｊ）＝Ｔｒｕｅが設定されている。また、画素Ｐ（９，０）とＰ（０，９）を結ぶ直線に対し、右下の領域の画素が内部の画素であり、各々Ｅ（ｉ，ｊ）＝Ｆａｌｓｅが設定されている。また、画素Ｐ（９，０）とＰ（０，９）を結ぶ直線に対し、左上の領域の画素が外部の画素であり、各々Ｅ（ｉ，ｊ）＝Ｎｕｌｌが設定されている。
【００３９】
同様に、図３（Ａ）の点線ｃで囲まれた領域を拡大したのが、図３（Ｃ）であり、画素Ｐ（６，０）とＰ（０，６）を結ぶ直線上と、画素Ｐ（９，３）とＰ（３，９）を結ぶ直線上の画素がエッジ画素となり、各々Ｅ（ｉ，ｊ）＝Ｔｒｕｅが設定されている。また、画素Ｐ（６，０）とＰ（０，６）を結ぶ直線と、画素Ｐ（９，３）とＰ（３，９）を結ぶ直線に囲まれた画素が内部の画素となり、各々Ｅ（ｉ，ｊ）＝Ｆａｌｓｅが設定されている。また、画素Ｐ（６，０）とＰ（０，６）を結ぶ直線に対し左上の領域の画素と、画素Ｐ（９，３）とＰ（３，９）を結ぶ直線に対し右下の領域の画素が外部の画素となり、各々Ｅ（ｉ，ｊ）＝Ｎｕｌｌが設定されている。
【００４０】
＜発光時間と光量の関係＞
次に、図５を参照して、発光時間と光量の関係について説明する。図５は、発光時間と光量の関係を示すグラフである。なお、図５（Ａ１）、（Ｂ１）、（Ｃ１）において、発光時間＝１Ｈは、１ドットの画素を印字するのに必要な時間で、光量＝４Ｌは、発光素子１１０を最高輝度で発光させた場合の光量である。また、発光時間と光量の積は、どの場合でも一定の値１Ｌ×１Ｈとなるように設定されている。
【００４１】
図５（Ａ１）では、短い発光時間である発光時間＝１／４Ｈ、高い光量である光量＝４Ｌで発光素子１１０を発光させる場合で、図５（Ａ２）は、この条件で画素（０，０）に印字された１ドットを示した図である。この条件で画像の輪郭を印字すれば、鮮明な画像が得られる。
【００４２】
図５（Ｂ１）では、発光時間＝１／２Ｈ、光量＝２Ｌで発光素子１１０を発光させる場合で、図５（Ｂ２）は、この条件で画素（０，０）に印字された１ドットを模式的に示した図である。図５（Ｂ２）は、図５（Ａ２）に比べて、印字濃度がやや薄く、さらに、発光時間が長いため縦長のドットとなる。この条件で画像の輪郭を印字するとやや不鮮明な画像となるが、画像の内部を連続して印字する分には申し分ない。
【００４３】
図５（Ｃ１）では、長い発光時間である発光時間＝１Ｈ、低い光量である光量＝１Ｌで発光素子１１０を発光させる場合で、図５（Ｃ２）は、この条件で画素（０，０）に印字された１ドットを模式的に示した図である。図５（Ｃ２）は、図５（Ａ２）に比べて、印字濃度が薄く、さらに、発光時間が長いため縦長で画素（０，１）にまで及ぶドットとなる。この条件で画像の輪郭を印字すると不鮮明な画像となるが、画像の内部を連続して印字する分には申し分ない。
【００４４】
＜駆動制御部の処理＞
次に、図６を参照して、駆動制御部１５４の処理について説明する。図６は、駆動制御部１５４の処理を説明するフローチャートである。
【００４５】
先ず、ステップＳ２００では、駆動制御を開始するエッジ検出データ１６４の初期位置として、ｉ＝０、ｊ＝０を設定し、ステップＳ２０２に移行する。
【００４６】
次に、ステップＳ２０２では、画素Ｅ（ｉ，ｊ）を選択し、ステップＳ２０４に移行する。
【００４７】
次に、ステップＳ２０４では、画素Ｅ（ｉ，ｊ）がエッジ画素であるか否かを判定し、エッジ画素である（Ｔｒｕｅ）場合は、ステップＳ２０６に移行し、画像データの内部の画素である（Ｆａｌｓｅ）場合は、ステップＳ２０８に移行し、画像データの外部の画素である（Ｎｕｌｌ）場合は、ステップＳ２１０に移行する。
【００４８】
次に、ステップＳ２０６では、画素Ｐ（ｉ，ｊ）の発光素子１１０に対し、光量＝４Ｌ、発光時間＝１／４Ｈを設定し、ステップＳ２１２に移行する。
【００４９】
一方、ステップＳ２０８では、画素Ｐ（ｉ，ｊ）の発光素子１１０に対し、光量＝１Ｌ、発光時間＝１Ｈを設定し、ステップＳ２１２に移行する。
【００５０】
さらに、ステップＳ２１０では、画素Ｐ（ｉ，ｊ）の発光素子１１０に対し、光量＝０、発光時間＝０を設定し、ステップＳ２１２に移行する。
【００５１】
次に、ステップＳ２１２では、ｉ＝ｉｍａｘであるか否かを判定し、ｉ＝ｉｍａｘである場合は、ステップＳ２１６に移行し、ｉ＜ｉｍａｘである場合は、ステップＳ２１４に移行する。
【００５２】
次に、ステップＳ２１６では、ｊ＝ｊｍａｘであるか否かを判定し、ｊ＝ｊｍａｘである場合は、処理を終了し、ｊ＜ｊｍａｘである場合は、ステップＳ２１８に移行する。
【００５３】
一方、ステップＳ２１４では、ｉ＝ｉ＋１に設定し、ステップＳ２０２に移行する。
【００５４】
一方、ステップＳ２１８では、ｉ＝０及びｊ＝ｊ＋１に設定し、ステップＳ２０２に移行する。
【００５５】
ここで、図７を参照して、駆動制御部１５４の発光素子１１０の設定方法を説明する。図７（Ａ）の点線ｂで囲まれた領域を拡大したのが、図７（Ｂ１）と（Ｂ２）であり、画素Ｐ（０，０）からＰ（９，９）で構成されているものとして説明する。図７（Ｂ１）は、すべての画素を発光時間＝１Ｈ、光量＝１Ｌで設定した図５（Ｃ２）のドットで印字した場合を示す。図７（Ｂ１）に示すように、画素Ｐ（９，０）とＰ（０，９）を結ぶ直線上のエッジ画素を、各々図５（Ｃ２）のドットで印字すると、濃度が薄いため、輪郭が不鮮明になってしまう。
【００５６】
一方、図７（Ｂ２）は、画素Ｐ（９，０）とＰ（０，９）を結ぶ直線上エッジ画素を、発光時間＝１／４Ｈ、光量＝４Ｌで設定した図５（Ａ２）のドットで印字し、その他の画素を図５（Ｃ２）で印字した場合を示す。図７（Ｂ２）に示すように、エッジ画素が鮮明となり、良好な印字結果が得られる。
【００５７】
同様に、図７（Ａ）の点線ｃで囲まれた領域を拡大したのが、図７（Ｃ１）と（Ｃ２）である。図７（Ｃ１）は、図５（Ｃ２）のドットで印字した場合を示す。図７（Ｃ１）に示すように、画素Ｐ（６，０）とＰ（０，６）を結ぶ直線上のエッジ画素を、各々図５（Ｃ２）のドットで印字すると、濃度が薄いため、輪郭が不鮮明になってしまう。また、画素Ｐ（９，３）とＰ（３，９）を結ぶ直線上のエッジ画素を、各々図５（Ｃ２）のドットで印字すると、画素Ｐ（９，４）とＰ（４，９）を結ぶ直線上の画素にまで濃度が薄い印字が及んでしまうため、輪郭が不鮮明になってしまう。
【００５８】
一方、図７（Ｃ２）は、画素Ｐ（６，０）とＰ（０，６）を結ぶ直線上のエッジ画素と、画素Ｐ（９，３）とＰ（３，９）を結ぶ直線上のエッジ画素を、各々図５（Ａ２）のドットで印字し、その他の画素を図５（Ｃ２）で印字した場合を示す。図７（Ｃ２）に示すように、エッジ画素が鮮明となり、良好な印字結果が得られる。
【００５９】
以上に述べた前記実施形態によれば、以下の効果が得られる。
【００６０】
本実施形態では、入力された画像データにおいて、エッジ画素は、図５（Ａ１）の条件で発光素子１１０を発光させ、内部の画素は、図５（Ｃ１）の条件で発光素子１１０を発光させれば、鮮明な輪郭の画像を得ることができ、画像内部のベタ塗りを低い光量で発光させることにより、発光素子１１０の劣化を抑えることが可能になる。
【００６１】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００６２】
（変形例１）本発明に係る発光装置１の第１変形例について説明する。前記第１実施形態では、プリンタラインヘッドとして一つの発光装置１を使う場合について説明したが、カラープリンタのようにＣＭＹＫの各色にそれぞれプリンタラインヘッドを使う場合は、各色毎にエッジ検出と駆動制御を行えばよい。
【００６３】
（変形例２）本発明に係る発光装置１の第２変形例について説明する。発光装置１は、上述したプリンタラインヘッドに限らず、複数の発光素子を二次元状に配列し、画像を表示するための画素として各発光素子を使用する表示装置や、このような表示装置が組み込まれた各種の電子機器に適用することも可能である。
【００６４】
＜画像形成装置＞
次に、図８を参照して、図１に示した発光装置１を露光装置として組み込んだ画像形成装置の一例について説明する。
図８は、本画像形成装置の構成を示す縦断側面図である。この画像形成装置は、図１に示した発光装置と同様に構成された４個の有機ＥＬアレイラインヘッド１０１Ｋ、１０１Ｃ、１０１Ｍ、１０１Ｙを、対応する４個の感光体ドラム４１Ｋ、４１Ｃ、４１Ｍ、４１Ｙ（像担持体）を露光するための露光装置として各々配置したものであり、タンデム方式の画像形成装置として構成されている。なお、符号の後に付加されたＫ、Ｃ、Ｍ、Ｙは各々に黒、シアン、マゼンタ、イエローを意味し、黒、シアン、マゼンタ、イエロー用の感光体であることを示している。このことは他の部材についても同様である。
【００６５】
この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト５０を備えている。この中間転写ベルト５０に対して所定間隔で配置された４個の像担持体としての外周面に感光層を有する感光体ドラム４１Ｋ、４１Ｃ、４１Ｍ、４１Ｙが配置される。
【００６６】
感光体ドラム４１Ｋ、４１Ｃ、４１Ｍ、４１Ｙは、中間転写ベルト５０の駆動と同期して図示矢印方向（時計方向）へ回転駆動される。各感光体ドラム４１Ｋ、４１Ｃ、４１Ｍ、４１Ｙの周囲には、それぞれ感光体ドラム４１Ｋ、４１Ｃ、４１Ｍ、４１Ｙの外周面を一様に帯電させる帯電手段４２Ｋ、４２Ｃ、４２Ｍ、４２Ｙ（コロナ帯電器）と、この帯電手段４２Ｋ、４２Ｃ、４２Ｍ、４２Ｙにより一様に帯電させられた外周面を感光体ドラム４１Ｋ、４１Ｃ、４１Ｍ、４１Ｙの回転に同期して順次ライン走査する有機ＥＬアレイラインヘッド１０１Ｋ、１０１Ｃ、１０１Ｍ、１０１Ｙが設けられている。
【００６７】
また、この画像形成装置は、上記有機ＥＬアレイラインヘッド１０１Ｋ、１０１Ｃ、１０１Ｍ、１０１Ｙで形成された静電潜像に現像剤であるトナーを付与して可視像（トナー像）とする現像装置４４Ｋ、４４Ｃ、４４Ｍ、４４Ｙと、この現像装置４４Ｋ、４４Ｃ、４４Ｍ、４４Ｙで現像されたトナー像を一次転写対象である中間転写ベルト５０に順次転写する一次転写ローラ４５Ｋ、４５Ｃ、４５Ｍ、４５Ｙと、転写された後に感光体ドラム４１Ｋ、４１Ｃ、４１Ｍ、４１Ｙの表面に残留しているトナーを除去するクリーニング装置４６Ｋ、４６Ｃ、４６Ｍ、４６Ｙとを有している。
【００６８】
ここで、各有機ＥＬアレイラインヘッド１０１Ｋ、１０１Ｃ、１０１Ｍ、１０１Ｙは、有機ＥＬアレイラインヘッド１０１Ｋ、１０１Ｃ、１０１Ｍ、１０１Ｙのアレイ方向が感光体ドラム４１Ｋ、４１Ｃ、４１Ｍ、４１Ｙの母線に沿うように設置される。そして、各有機ＥＬアレイラインヘッド１０１Ｋ、１０１Ｃ、１０１Ｍ、１０１Ｙの発光エネルギーピーク波長と、感光体ドラム４１Ｋ、４１Ｃ、４１Ｍ、４１Ｙの感度ピーク波長とは略一致するように設定されている。
【００６９】
現像装置４４Ｋ、４４Ｃ、４４Ｍ、４４Ｙは、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体ドラム４１Ｋ、４１Ｃ、４１Ｍ、４１Ｙに接触あるいは押厚させることにより、感光体ドラム４１Ｋ、４１Ｃ、４１Ｍ、４１Ｙの電位レベルに応じて現像剤を付着させることによりトナー像として現像するものである。
【００７０】
このような４色の単色トナー像形成ステーションにより形成された黒、シアン、マゼンタ、イエローの各トナー像は、一次転写ローラ４５Ｋ、４５Ｃ、４５Ｍ、４５Ｙに印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００７１】
なお、図８において、符号６３は多数枚の記録媒体Ｐが積層保持されている給紙カセット、６４は給紙カセット６３から記録媒体Ｐを一枚ずつ給送するピックアップローラ、６５は二次転写ローラ６６の二次転写部への記録媒体Ｐの供給タイミングを規定するゲートローラ対、６６は中間転写ベルト５０との間で二次転写部を形成する二次転写手段としての二次転写ローラ、６７は二次転写後に中間転写ベルト５０の表面に残留しているトナーを除去するクリーニングブレードである。
【図面の簡単な説明】
【００７２】
【図１】本発明の実施形態に係わる発光装置の概略構成図。
【図２】制御回路の構成図。
【図３】画像データのエッジ画素の検出方法を説明する図。
【図４】エッジ検出部の処理を説明するフローチャート。
【図５】発光時間と光量の関係を示すグラフ。
【図６】駆動制御部の処理を説明するフローチャート。
【図７】駆動制御部の処理を説明する図。
【図８】発光装置を用いた画像形成装置の構成例を示す断面図。
【符号の説明】
【００７３】
１…発光装置、１００…素子基板、１１０…発光素子、１２０…ドライバＩＣ、１３０…ＦＰＣ、１４０…ＰＣＢ、１５０…制御回路、１５２…エッジ検出部、１５４…駆動制御部、１６０…コントローラ、１６２…画像データ、１６４…エッジ検出データ。
【図１】
2007050597.tif 000003
【図２】
2007050597.tif 000004
【図３】
2007050597.tif 000005
【図４】
2007050597.tif 000006
【図５】
2007050597.tif 000007
【図６】
2007050597.tif 000008
【図７】
2007050597.tif 000009
【図８】
2007050597.tif 000010